(57)【要約】      （修正有）【課題】吊り上げる物体の大きさに応じたクランプ位置の調整が容易で、吊り上げ力及び安定性を確保できる石材や方形角材等の吊り上げ及び移動用クランプを提供する。【解決手段】交差するアーム１、２の中心支持穴１０位置を一箇所に固定し、圧着板保持金具４をアームの片側に設けたスライドバー３に左右圧着保持金具の間隔を調節可能にロックできるようにし、フックを架ける部分９を輪状とし、待機状態でのアームロック金具７を備えて成る構成とする。【選択図】図１
2006290612.tif 000002
【特許請求の範囲】
【請求項１】
吊り上げフック等に架けた状態のまま吊り荷の大きさに応じた幅位置調整ができるように、アームの固定金具（７）を備えた交差するアーム（１．２）の中心支持穴位置（１０）を一箇所に固定し、アームの片側に設けたスライドバー（３）の間を圧着板保持金具（４）が移動できるようにして、吊り荷の大きさに応じたクランプ幅位置の調整が簡単にできるようにした構造。しかも幅位置調整は簡単であるにもかかわらず、圧着板保持金具（４）が確実にロックできる構造を提供したことにより安全で作業能率の高い作業ができるようにしたことを特徴とする石材や方形角材等の吊り上げ及び移動作業に使用するクランプ。
【発明の詳細な説明】
【技術分野】
【０００１】  本発明は、石材、及び方形角材等の吊り上げ及び移動に使用するためのクランプの構造に関するものである。
【背景技術】
【０００２】  従来石材等を吊り上げるための調整式のクランプは大きさの違う石材等を挟み込む場合に、いちいちフック等から取り外し交差部中心のネジをはずして、穴位置をずらして付け替える必要があった。【０００３】  従来石材等を吊り上げるための調整式のクランプは幅位置を替えて石材等を挟み込む場合にアームにあけられた、穴位置を変えるため、小さい石材等を挟み込む場合は、交差部分の穴位置からのアームの長さは長くなり、吊り上げによる挟み込む力は比較的大きいが、大きい石材等を挟み込む場合は、交差部分の穴位置からのアームの距離が短くなるため、重い物を持上げるほどその挟み込む力は小さくなってしまうという欠点があった。【０００４】  従来石材等を吊り上げるための調整式のクランプは幅調整用の穴位置を変えると、アームを引っ張る為のフックに架ける場所もチェーンにより張りなおす必要があり、しかもこのチェーンの部分は吊り上げ用のフックの上を横滑りするため、突然吊り荷のバランスがくずれたり、待機中に傾いたりして石材等の角を壊したり、作業者の頭部にぶつかる等の事故を誘発していた。この改善策として、クランプの形状を変え、アームの交差中心支持位置は一箇所とし、幅位置の調整用の支持金具をスライド式にし、石材の大きさに応じた位置合わせができるようにした。
【発明の開示】
【発明が解決しようとする課題】
【０００５】  解決しようとする問題点は、吊り上げフック等からクランプ本体をはずしネジをいちいちはずして幅位置を調整し直すという労力を減らし簡単に石材等の大きさに応じたクランプ位置の調整ができるようにすることである。【０００６】  ネジ穴位置の移動による支点の移動を防ぎ吊り上げ力の強化及び安定性を確保し、チェーンによるフックへの架け方を廃止し、クランプの中心に常にフックの位置が来るようにすることである。
【課題を解決するための手段】
【０００７】  本発明は、上記目的を果たすため、図１に示すように、交差するアーム（１．２）の中心支持穴位置（１０）を一箇所に固定し、圧着板保持金具（４）をアームの片側に設けたスライドバー（３）の間を移動できるようにして吊り荷の大きさに応じた幅位置調整ができるようにし、フックを架ける部分を図１の（９）のように輪状にして、待機状態では、アームのロック金具（７）をかけることにより吊り上げフック等に架けた状態のまま幅位置調整ができるようにした。
【発明の効果】
【０００８】  本発明のワンタッチクランプは、従来一度石材等に合わせて位置調整されたクランプが別の大きさの違う石材等を挟み込む場合に１度吊り上げフックからクランプをはずしいちいち中心のネジをはずしてから幅位置調整をしてチェーンを張りなおす必要があったが、本発明はフックからクランプをはずすことなくスライド式の圧着板保持金具（４）を移動調整するだけで、石材の大きさに応じた適正なクランプ幅に簡単に変えることができるようにしたため、従来の荷物の吊り上げに係わる時間と労力を大きく軽減することができる。しかも調整の方法をネジ穴位置の付け替えではなく、アーム（１．２）の交差中心支持穴位置（１０）を一箇所に固定し、スライドバー（３）の上を圧着板保持金具（４）が移動できるようにしたため、吊り上げる物体の大きさによる、挟み込む力の増減をなくすことが出来、従来のチェーン式のフック架けの横滑りによる傾き、吊り荷の落下等を防ぐ事が出来る。
【発明を実施するための最良の形態】
【０００９】  クランプの交差中心支持穴位置を一箇所に固定し、スライド式の幅位置の調整用保持金具を取り付け、石材及び方形角材等の大きさに応じた位置合わせができるようにした。
【実施例１】
【００１０】  図１は、本発明の正面図である。本発明は、交差するアーム（１．２）の中心支持穴位置（１０）を一箇所に固定し、圧着板保持金具（４）をアームの片側に設けたスライドバー（３）の間を移動できるようにして吊り荷の大きさに応じた幅位置調整ができるようにし、フックを架ける部分を図１の（９）のように輪状にして、待機状態では、アームのロック金具（７）をかけることにより吊り上げフック等に架けた状態のまま幅位置調整ができるようにした。
図２は本発明の透視図である。図３は本発明の正面斜視図である。図４は本発明の実際の使用例である。図５は本発明の使用例の正面斜視図である。【００１１】  図２の透視図で説明すると（４）の圧着板保持金具は（５）の圧着板支持棒を右に回転させると、アーム片側のスライドバー（３）との間に隙間ができ、（４）がその隙間分上にあげることができるようにしてあるため簡単にスライドバー（３）の上を移動させる事ができる。【００１２】  スライドさせて位置合わせがなされた、圧着板保持金具（４）はスライドバー（３）に刻んだ溝にはまり込みさらに荷物を吊り上げると、圧着板支持棒（５）により、てこの原理でスライドバー（３）の下部に圧力がかかり圧着板保持金具（４）が下方向に押さえつけられるため荷物を吊り上げたときに圧着板保持金具がずれたりはずれたりすることがない。
【産業上の利用可能性】
【００１３】  本発明のワンタッチクランプは、従来一度石材等に合わせて位置調整されたクランプが別の大きさの違う石材等を挟み込む場合に１度吊り上げフック等からクランプをはずしいちいち中心のネジをはずして幅位置調整をする必要があったが、本発明はフックからクランプをはずすことなくスライド式の圧着板保持金具（４）を調整するだけで、石材等の大きさに応じた適正なクランプ幅に簡単に変えることができるようにしたため、従来の荷物の吊り上げに係わる時間と労力を大きく軽減することができる。しかも調整の方法をネジ位置の付け替えではなく、交差支点を一箇所に固定し、アームのスライドバーの上を圧着板保持金具が移動できるようにしたため、吊り上げる物体の大きさによる、挟み込む力の増減をなくし常に強力な挟み込み力を持続することが出来、なをかつ、チェーン式のフック架けの場合に生じていたフック上の横滑りによる、傾きや吊り荷の落下事故を未然に防ぐことが出来る。
【図面の簡単な説明】
【００１４】
【図１】本発明の正面図である。
【図２】本発明の透視図である。
【図３】本発明の正面斜視図である。
【図４】本発明の使用例である。
【図５】本発明の使用例の正面斜視図である。
【符号の説明】
【００１５】  １  アーム１
２  アーム２
３  スライドバー
４  圧着板保持金具
５  圧着板支持棒
６  圧着板
７  アーム固定金具
８  アーム引っ張り棒
９  フック架け
１０  交差中心支持穴
【図１】
2006290612.tif 000003
【図２】
2006290612.tif 000004
【図３】
2006290612.tif 000005
【図４】
2006290612.tif 000006
【図５】
2006290612.tif 000007